(57)【要約】【課題】ストレッチなどの運動に容易に使用することができるタオルを提供する。【解決手段】本願発明におけるタオル１は、弾力性があるタオル本体１１と、タオル本体１１の両端部に縫い付けており、利用者の手や足の少なくとも一部分を挿入する複数の手掛け部１３とが設けられ、弾力性があるので、使用時に伸縮することができ、ストレッチなどの運動に容易に使用できる。【選択図】図１
2020062153.tif 000002
【特許請求の範囲】
【請求項１】
タオル本体に弾力性を備えるタオルであって、持ち手箇所を変更することで必要な弾力を調整できることを特徴とするタオル。
【請求項２】
前記タオル本体の少なくとも両端部に利用者の手や足の少なくとも一部分が挿入される複数の手掛け部を設けたことを特徴とする請求項１に記載のタオル。
【発明の詳細な説明】
【技術分野】
【０００１】
本願発明は、手や顔、体を拭いて水気を拭いたり濡らして汚れをふき取ったりする普通タオルとして使われるだけではなく、運動に利用するストレッチタオルとしても使われるタオルに関するものである。
【背景技術】
【０００２】
従来、タオルは、綿や、アクリル繊維、ポリエステル繊維、ナイロン繊維を繊維素材として作られ、異なる柔弾性、幅、長さ、繊維の種類等により、ハンドタオルや、フェイスタオル、ボディタオル等としてそれぞれ用いられる（例えば特許文献１参照）。
【先行技術文献】
【特許文献】
【０００３】
【特許文献１】特開２０００−３４２４８２
【発明の概要】
【発明が解決しようとする課題】
【０００４】
ところで、近年、タオルの張力を利用したストレッチが、体の歪みなどの改善による病気や怪我の予防だけでなく、肩こりや腰痛の緩和や解消にも効能があるものとして期待されている。しかしながら、特許文献１によるタオルは伸縮性を有していないため、例えば、タオルの長さが短く腕を十分に広げることができない、または、タオルが長すぎるために腕を閉じたときにはタオルが垂れてしまうなどのように、ストレッチなどの運動での使用には課題がある。
【課題を解決するための手段】
【０００５】
本願発明は、上記のような現状を検討して改善を施したタオルを提供することを技術的課題としている。
【０００６】
本願発明にかかるタオルは、タオル本体に弾力性を備えるタオルであって、持ち手箇所を変更することで必要な弾力を調整できるものである。
【０００７】
また、上記タオルであって、前記タオル本体の少なくとも両端部に利用者の手や足の少なくとも一部分が挿入される複数の手掛け部を設けたものとしてもよい。
【発明の効果】
【０００８】
本願発明のタオルは、タオル本体が弾力性を備えた伸縮可能なタオルであり、持ち手箇所を変更することでタオルの弾力を変更できるため、体格や性別に合わせたストレッチを実行できる。また、タオルを折りたたんで使用することで、弾力性を高めた運動も可能である。更に、手や顔、体を拭いて水気を拭いたり濡らして汚れをふき取ったりする普通タオルとして使われるだけではなく、入浴タオルやストレッチタオルなどとしても使われることができる。
【図面の簡単な説明】
【０００９】
【図１】本願発明の一実施形態のタオルの平面図である。
【図２】図１におけるタオルのＡ-Ａ部断面図である。
【図３】本願発明の他の実施形態のタオルの平面図である。
【図４】図３におけるタオルのＢ-Ｂ部断面図である。
【発明を実施するための形態】
【００１０】
以下に、本願発明を具体化した第１実施形態を図面に基づいて説明する。図１は、本実施形態のタオル１の平面図であり、図２は、図１におけるタオル１のＡ−Ａ方向に沿う断面図である。図１に示すように、本実施形態におけるタオル１は、タオル本体１１とタオル本体１１に設けられている複数の手掛け部１３とを備える。即ち、本実施形態におけるタオル１は、タオル本体１１に弾力性を備えるタオルであって、持ち手箇所を変更することで必要な弾力を調整できるものである。
【００１１】
タオル本体１１は、タオル織りという織り法で織られたタオル生地で作成されている。タオル本体１１は、弾性を有する経糸を使用することで伸縮性を持たせたタオル生地により構成されている。すなわち、タオル本体１１は、例えば、吸水性のよい綿などの繊維にゴム製繊維などの伸縮可能な繊維を撚りに掛けた経糸を用いることで弾力性があるタオル生地から作られる。タオル本体１１が長方形など長尺状に構成されることが好ましい。
【００１２】
図１及び図２に示すように、タオル本体１１の長手方向の両端部１１１には、それぞれ四つの手掛け部1３が設けられている。タオル本体１１の各端部１１１は、タオル本体１１長手方向に対して垂直となる方向にそれぞれ二つの手掛け部１３を有している。すなわち、タオル本体１１の長手方向を左右方向とし、当該左右方向に垂直な方向を上下方向とすると、タオル本体１１の左右両端部１１１の上下縁それぞれに、２つの手掛け部１３が左右に並んで取り付けられている。
【００１３】
手掛け部１３は、タオル本体１１と同じように弾力性があるものであってもよく、それとも、伸縮できないものから作られてもよい。また、手掛け部１３は、例えば、中央で折り曲げた紐の両端部をタオル本体１１の縁部を挟んで縫付されることで、タオル本体１１に取り付けられている。すなわち、手掛け部１３は、タオル本体１１の左右両端部１１１の上下縁に縫い目１３１を形成して、タオル本体１１に縫い合わされている。手掛け部１３は、利用者の手、足、指が挿入できるリング状の挿入部１３３を有している。すなわち、利用者は、穴状の挿入部１３３に手、足、指を通すことで、タオル１を容易に把持できる。
【００１４】
タオル１をストレッチタオルとして使用する時、弾力性のあるタオル本体１１が伸縮することで、機能回復訓練、肩こりや腰痛の緩和のための運動が容易になる。また、利用者がタオル１を把持する際の手掛け部１３の組み合わせを変更してタオル１の長さを調整できるので、運動に応じたタオル１の長さと弾力の調整が容易になる。また、手掛け部１３をタオル本体１１の上下に配置しているため、例えば、左端部１１１の上部の手掛け部１３と、右端部１１１の下部の手掛け部１３とを持つ場合と、左右両端部１１１の上部の手掛け部１３を持つ場合とで、弾力を有する経糸と横糸にかかる張力の違いを活用し、運動の負荷を変更することができる。更に、タオル本体１１の中央部を足先に掛ける一方、タオル本体１１両端部１１１の手掛け部１３を左右両手で把持して全身に負荷をかける運動をする場合にも、把持する手掛け部１３の位置を変更することで、利用者の体力に合わせた弾力に容易に調整できる。
【００１５】
本実施形態のタオル１は、利用者の体の水気を拭くなど、普通タオルのように濡れたものを拭くためにも使用できる。このとき、利用者は、手をタオル１の二つの手掛け部１３の挿入部１３３に挿入することで、容易にタオル１を把持できるだけでなく、タオル本体１１の弾力により利用者の体にタオル本体１１を密接させることができる。すなわち、任意の二つの手掛け部１３を組み合わせて把持することで、利用者の体形や体力に合わせてタオル１の長さを調整できる。例えば、入浴中、利用者は、タオル本体１１を背中に被せた際に、無理なく両手を広げられる位置の二つの手掛け部１３に両手を挿入し、タオル１を往復運動させる。このとき、タオル本体１１は、弾力性があり伸縮できるので、利用者の背中と十分に接触することとなるため、握力が弱い子供や老人であっても、背中の水滴をふき取ったり、上手に垢をこすり落としたりすることができる。
【００１６】
また、本実施形態のタオル１は、タオル本体１１の上下に手掛け部１３を設けた構成としているため、例えば、タオル本体１１を握る握力が弱い利用者であっても、上下２つの手掛け部１３それぞれに同じ手の指をひっかけるように挿入することで、タオル本体１１を把持してタオル１を使用できる。また、手掛け部１３が、挿入部１３３に対して手指や足指だけでなく手首や足首を挿入できるリング状に構成されており、手足の挿入箇所を容易に変更できるため、ストレッチ運動の目的に応じた使用が可能となる。
【００１７】
次に、本願発明の第２実施形態となるタオルを図面に基づいて説明する。図３は、本実施形態となるタオル１の平面図であり、図４は、図３におけるタオル１のＢ−Ｂ方向に沿う断面図である。図３及び図４に示すように、タオル１は、長方形状（帯状）で弾力性を有するタオル本体１１と、タオル本体１１に設けられている複数の手掛け部１４とを備えている。なお、本実施形態においても、第１実施形態と同様、タオル本体１１の長手方向を左右方向とし、左右方向に直交する方向を上下方向とする。
【００１８】
タオル本体１１の左右両端部１１１には、二つの手掛け部１４が、タオル本体１１の上下両縁を架設するように設けられており、タオル本体１１の中央部１１２にも、同様の手掛け部１４が設けられている。手掛け部１４は、例えば、帯状の紐で構成されており、その両端部がタオル本体１１の上下縁に縫付されて、タオル本体１１に取り付けられている。すなわち、タオル本体１１の上下縁と手掛け部１４の両端が縫い目１４１で固定され、手掛け部１４とタオル本体１１とで挿入部１４３が形成されている、すなわち、手掛け部１４とタオル本体１１との間に、手足を挿入できる収容空間となる挿入部１４３が形成されている。好ましくは、手掛け部１４はタオル本体１１の長手方向に対して垂直に配置されており、左右に配置された手掛け部１４は互いに平行に設置される。
【００１９】
本実施形態のタオル１は、タオル本体１１の上下縁を架設させた紐で手掛け部１４を構成しているため、手足を掛ける位置を調整することで、タオル１の弾力を調整できる。また、タオル１の中央部１１２に手掛け部１４を設けた構成としている。これにより、タオル１の長さを半分に調整できるだけでなく、タオル１を中央部１１２に折り曲げた際も手掛け部１４に手足を掛けることができるため、把持する手掛け部１４の組み合わせでタオル１の長さと弾力とを調整して、利用者の体力や体格に応じた仕様に容易に変更できる。
【００２０】
なお、本願発明における各部の構成は図示の実施形態に限定されるものではなく、本願発明の趣旨を逸脱しない範囲で種々変更が可能である。
【符号の説明】
【００２１】
１  タオル
１１  タオル本体
１１１  端部
１１２  中央部
１３，１４  手掛け部
１３１，１４１  縫い目
１３３，１４３  挿入部
【図１】
2020062153.tif 000003
【図２】
2020062153.tif 000004
【図３】
2020062153.tif 000005
【図４】
2020062153.tif 000006